(57)【要約】      （修正有）【課題】時刻及び時間の表示機能を付加し、用途の拡充と利便性を向上させた付箋を提供する。【解決手段】矩形状の付箋の、一つ以上の辺、もしくは一つ以上の角部、あるいはその両方を含んだ位置に、円形や楕円形あるいは多角形、もしくは一つ以上の辺と曲線、あるいは直線もしくは曲線のみからなる図形を配して、組み合わせた外形形状とし、その円形や楕円形あるいは多角形、もしくは一つ以上の辺と曲線、あるいは直線もしくは曲線のみからなる組み合わせ図形の部分に、時計の文字盤を印刷などによって配し、この文字盤に時計の針１を書き込んで時刻を表示したり、また一定の時間を塗りつぶしたりすれば、時刻や時間が一目で判別できる。さらに、目に見えない時刻や時間の概念を文章の表記だけでは理解することが難しい障害者にも、時刻や時間を目に見えるものに置き換えることができる。【選択図】図２７
0003187128.tif 000002
【実用新案登録請求の範囲】
【請求項１】
矩形状の（公序良俗違反につき、不掲載）の、一つ以上の辺、もしくは一つ以上の角部、あるいはその両方を含んだ位置に、円形や楕円形あるいは多角形、もしくは一つ以上の辺と曲線、あるいは直線もしくは曲線のみからなる図形を配して、組み合わせた外形形状としたことを特徴とする（公序良俗違反につき、不掲載）。
【請求項２】
円形や楕円形あるいは多角形、もしくは一つ以上の辺と曲線、あるいは直線もしくは曲線のみからなる組み合わせ図形の部分に、時計の文字盤が配されていることを特徴とする請求項１に記載の（公序良俗違反につき、不掲載）。
【請求項３】
伝言内容に即したピクトグラム（絵文字）表示プレートに貼り付けて使用することを特徴とする請求項１及び請求項２に記載の（公序良俗違反につき、不掲載）。
【考案の詳細な説明】
公序良俗違反のため、不掲載とする。
【図１】
0003187128.tif 000003
【図２】
0003187128.tif 000004
【図３】
0003187128.tif 000005
【図４】
0003187128.tif 000006
【図５】
0003187128.tif 000007
【図６】
0003187128.tif 000008
【図７】
0003187128.tif 000009
【図８】
0003187128.tif 000010
【図９】
0003187128.tif 000011
【図１０】
0003187128.tif 000012
【図１１】
0003187128.tif 000013
【図１２】
0003187128.tif 000014
【図１３】
0003187128.tif 000015
【図１４】
0003187128.tif 000016
【図１５】
0003187128.tif 000017
【図１６】
0003187128.tif 000018
【図１７】
0003187128.tif 000019
【図１８】
0003187128.tif 000020
【図１９】
0003187128.tif 000021
【図２０】
0003187128.tif 000022
【図２１】
0003187128.tif 000023
【図２２】
0003187128.tif 000024
【図２３】
0003187128.tif 000025
【図２４】
0003187128.tif 000026
【図２５】
0003187128.tif 000027
【図２６】
0003187128.tif 000028
【図２７】
0003187128.tif 000029
【図２８】
0003187128.tif 000030
【図２９】
0003187128.tif 000031
【図３０】
0003187128.tif 000032
【図３１】
0003187128.tif 000033
【図３２】
0003187128.tif 000034
【図３３】
0003187128.tif 000035
【図３４】
0003187128.tif 000036
【手続補正書】
【提出日】平成25年5月27日(2013.5.27)
【手続補正１】
【補正対象書類名】明細書
【補正対象項目名】全文
【補正方法】変更
【補正の内容】
【考案の詳細な説明】
【技術分野】
【０００１】本考案は、時刻及び時間の表示機能を付加し、用途の拡充と利便性を向上させた付箋に関する。
【背景技術】
【０００２】従来の付箋は、矩形を成す外形形状のものが大半で、用途としては、メモの記入や伝言用紙、あるいは見出しインデックスや表示ラベル、さらにはマスキングや仮止めテープなどに用いられることがほとんどであった。この従来の付箋を用途のひとつである伝言用紙として使用した際、ある事柄や行動の開始時刻や実施時間などを文章で表記しておいても、その伝言を受け取る側には、印象強く残らず伝言内容が、正確に伝わっていないことも多かった。
【先行技術文献】
【特許文献】
【０００３】
【特許文献１】特許公開２０００−０９９２６５（図２）
【特許文献２】特許公開２００３−２１１８６８（図１）
【特許文献３】特許公開２００８−１７９１６２（図１）
【非特許文献】
【０００４】
【非特許文献１】商願平５−５５０５６
【非特許文献２】コクヨ  Ｗｅｂ総合カタログ  文具  粘着メモ−ドットライナーラベルメモ
【非特許文献３】住友スリーエム  Ｗｅｂ製品とサービス  文具・オフィス製品ポストイット（登録商標）
【考案の概要】
【考案が解決しようとする課題】
【０００５】矩形を成す外形形状が大半の、従来の付箋を用途のひとつである伝言用紙として使用した際、ある事柄や行動の開始時刻や実施時間などを文章で表記しておいても、その伝言を受け取る側には、印象強く残らず伝言内容が、正確に伝わっていないことが多かった。このようなことから従来の付箋では、伝言を受け取る側に、開始時刻や実施時間が確実に伝わるよう、該当箇所を囲ったり、あるいはカラーペンで上から色付けしたり、また該当箇所に下線を引いたりして印象付ける必要があった。さらに、目に見えない時刻や時間の概念を文章の表記だけでは理解することが難しい障害者の場合には、前述の囲みや色付け、あるいは下線が、該当箇所に施されていても正確に伝わらないことも多かった。
【問題を解決するための手段】
【０００６】まず従来の矩形状の付箋の、一つ以上の辺、もしくは一つ以上の角部、あるいはその両方を含んだ位置に、円形や楕円形あるいは多角形、もしくは一つ以上の辺と曲線、あるいは直線もしくは曲線のみからなる図形を配して、組み合わせた外形形状としたのち、その円形や楕円形あるいは多角形、もしくは一つ以上の辺と曲線、あるいは直線もしくは曲線のみからなる組み合わせ図形の部分に、時計の文字盤を印刷などによって配した構成で、本考案による付箋を製作する。本考案による付箋の、時計の文字盤に時計の針を書き込んで時刻を表示したり、一定の時間を塗りつぶしたりすれば、時刻や時間の読み取りや判別が一目で可能となる。さらに、目に見えない時刻や時間の概念を文章の表記だけでは理解することが難しい障害者にも時刻や時間を目に見えるものに置き換えて伝えることができる。
【考案の効果】
【０００７】本考案による付箋は、従来の矩形状の付箋の、一つ以上の辺、もしくは一つ以上の角部、あるいはその両方を含んだ位置に、円形や楕円形あるいは多角形、もしくは一つ以上の辺と曲線、あるいは直線もしくは曲線のみからなる図形を配して組み合わせた外形形状を成しており、この円形や楕円形あるいは多角形、もしくは一つ以上の辺と曲線、あるいは直線もしくは曲線のみからなる組み合わせ図形の部分に、時計の文字盤を印刷などで配した構成である。そして、この時計の文字盤に時計の針を書き込んで時刻を表示したり、一定の時間を塗りつぶしたりすることで、相手に、伝えたい時刻や時間を一目で判別してもらうことが可能となる。また、目に見えない時刻や時間の概念を文章の表記だけでは理解することが難しい障害者にも時刻や時間を目で見えるものとして伝達することができる。さらに、時計の文字盤に時計の針を書き込んで時刻を表示したり、一定の時間を塗りつぶしたりした本考案による付箋を、食事や読書など、さまざまな事柄や行動をピクトグラム（絵文字）で表示したプレートに貼り付けて使用すれば、そのプレートに表示されている事柄や行動をいつ行うのか、またいつからいつまで行うのか、さらにはいつ終わるのかを、相手に、より明確に伝達することができる。
【図面の簡単な説明】
【０００８】
【図１】本考案の付箋１
【０００９】
【図２】本考案の付箋２
【００１０】
【図３】本考案の付箋３
【００１１】
【図４】本考案の付箋４
【００１２】
【図５】本考案の付箋５
【００１３】
【図６】本考案の付箋６
【００１４】
【図７】本考案の付箋７
【００１５】
【図８】本考案の付箋８
【００１６】
【図９】本考案の付箋９
【００１７】
【図１０】本考案の付箋１０
【００１８】
【図１１】本考案の付箋１１
【００１９】
【図１２】本考案の付箋１２
【００２０】
【図１３】本考案の付箋１３
【００２１】
【図１４】本考案の付箋１４
【００２２】
【図１５】本考案の付箋１５
【００２３】
【図１６】本考案の付箋１６
【００２４】
【図１７】本考案の付箋１７
【００２５】
【図１８】本考案の付箋１８
【００２６】
【図１９】本考案の付箋１９
【００２７】
【図２０】本考案の付箋２０
【００２８】
【図２１】本考案の付箋２１
【００２９】
【図２２】本考案の付箋２２
【００３０】
【図２３】本考案の付箋２３
【００３１】
【図２４】本考案の付箋２４
【００３２】
【図２５】本考案の付箋２５
【００３３】
【図２６】本考案の付箋２６
【００３４】
【図２７】本考案の付箋の使用例１
【００３５】
【図２８】本考案の付箋の使用例２
【００３６】
【図２９】本考案の付箋の使用例３
【００３７】
【図３０】本考案の付箋の使用例４
【００３８】
【図３１】本考案の付箋の使用例５
【００３９】
【図３２】本考案の付箋の使用例６
【００４０】
【図３３】本考案の付箋の使用例７
【００４１】
【図３４】本考案の付箋の使用例８
【考案を実施するための形態】
【００４２】まず従来の矩形状の付箋の、一つ以上の辺、もしくは一つ以上の角部、あるいはその両方を含んだ位置に、円形や楕円形あるいは多角形、もしくは一つ以上の辺と曲線、あるいは直線もしくは曲線のみからなる図形を配して、組み合わせた外形形状としたのち、その円形や楕円形あるいは多角形、もしくは一つ以上の辺と曲線、あるいは直線もしくは曲線のみからなる組み合わせ図形の部分に、時計の文字盤を印刷などによって配した構成で、本考案の付箋を製作する。この本考案の付箋の、時計の文字盤に時計の針を書き込んで時刻を表示したり、一定の時間を塗りつぶしたりして、時刻や時間を目で見えるものに置き換え、それらの伝達を、相手に一目で判別してもらえるようにする。
【実施例】
【００４３】本考案による付箋は、印刷などによって配された時計の文字盤に時計の針を書き込んで時刻を表示したり、また一定の時間を塗りつぶしたりして、時刻や時間を目で見えるものにすることで印象深く、また一目で判別可能なものとし、それら時刻や時間の伝達を、相手に、より正確に行うことができる。さらには、目に見えない時刻や時間の概念を文章の表記だけでは理解することが難しい障害者にも、時刻や時間を目で見えるものに置き換えて伝達することができる。また、時計の文字盤に時計の針を書き込んで時刻を表示したり、一定の時間を塗りつぶしたりした本考案による付箋を、食事や読書など、さまざまな事柄や行動をピクトグラム（絵文字）で表示したプレートに貼り付けて使用すれば、そのプレートに表示されている事柄や行動をいつ行うのか、またいつからいつまで行うのか、さらにはいつ終わるのかを、相手に、より明確に伝達することができる。
【符号の説明】
【００４４】「図１」      符号１  矩形（従来の付箋）              符号２  組み合わせ図形              符号３  時計の文字盤【００４５】「図２７」    符号１  時刻表示（時計の針の記入）の例              符号２  伝言【００４６】「図２８」    符号１  時刻表示（時計の針の記入）の別の例              符号２  伝言【００４７】「図２９」    符号１  時間表示（時刻の間を塗りつぶし）の例              符号２  伝言【００４８】「図３０」    符号１  時間表示（時刻の間を塗りつぶし）の別の例              符号２  伝言【００４９】「図３１」    符号１  時刻表示と伝言を記した本考案の付箋の例              符号２  伝言内容に即したピクトグラム（絵文字）表示プレート【００５０】「図３２」    符号１  時刻表示と伝言を記した本考案の付箋の別の例              符号２  伝言内容に即したピクトグラム（絵文字）表示プレート【００５１】「図３３」    符号１  時間表示と伝言を記した本考案の付箋の例              符号２  伝言内容に即したピクトグラム（絵文字）表示プレート【００５２】「図３４」    符号１  時間表示と伝言を記した本考案の付箋の別の例              符号２  伝言内容に即したピクトグラム（絵文字）表示プレート
【手続補正２】
【補正対象書類名】実用新案登録請求の範囲
【補正対象項目名】全文
【補正方法】変更
【補正の内容】
【実用新案登録請求の範囲】
【請求項１】
矩形状の付箋の、一つ以上の辺、もしくは一つ以上の角部、あるいはその両方を含んだ位置に、円形や楕円形あるいは多角形、もしくは一つ以上の辺と曲線、あるいは直線もしくは曲線のみからなる図形を配して、組み合わせた外形形状としたことを特徴とする付箋。
【請求項２】
円形や楕円形あるいは多角形、もしくは一つ以上の辺と曲線、あるいは直線もしくは曲線のみからなる組み合わせ図形の部分に、時計の文字盤が配されていることを特徴とする請求項１に記載の付箋。
【請求項３】
伝言内容に即したピクトグラム（絵文字）表示プレートに貼り付けて使用することを特徴とする請求項１及び請求項２に記載の付箋。
【手続補正書】
【提出日】平成25年8月27日(2013.8.27)
【手続補正１】
【補正対象書類名】実用新案登録請求の範囲
【補正対象項目名】請求項３
【補正方法】変更
【補正の内容】
【請求項３】
伝言内容に即したピクトグラム（絵文字）表示プレートに貼り付けて使用することを特徴とする請求項１または請求項２に記載の付箋。